(57)【要約】【課題】釣糸を傷めてしまうことを防止しながら、スプールに巻回されている釣糸を効率的、かつ、容易に繰り出して使用することができる釣糸スプール用糸止め具を得る。【解決手段】釣糸スプール４の巻糸面の全面を覆うように着脱自在に装着されると共に、釣糸繰り出し孔としてのリング２１が設けられた弾性を有する釣糸止め部２と、リング２１の近傍に配置され、リング２１から繰り出された釣糸５を切断するカッター３とから構成されており、糸止め部材２を釣糸５とは異なる材質により形成した。【選択図】        図１
2004201517.tif 000002
【特許請求の範囲】
【請求項１】
釣糸スプールの巻糸面の全面を覆うように着脱自在に装着されると共に、一部分に釣糸繰り出し孔が設けられた弾性を有する釣糸止め部と、
上記釣糸止め部に対して取り付けられ、上記釣糸繰り出し孔から繰り出された釣糸を切断するカッターとから構成されており、
上記糸止め部は、上記釣糸とは異なる材質により形成されている、
ことを特徴とする釣糸用スプール糸止め具。
【請求項２】
上記釣糸は樹脂により形成されており、上記釣糸止め部は樹脂以外の材質により形成されている、
請求項１記載の釣糸用スプール糸止め具。
【請求項３】
上記カッターは、上記釣糸繰り出し孔の近傍に配置されている、
請求項１又は２記載の釣糸用スプール糸止め具。
【請求項４】
上記カッターは、切断した釣糸の端部を保持した状態で、釣糸止め部に対して相対的に移動可能に取り付けられている、
請求項１〜３のいずれかの項に記載の釣糸スプールの糸止め具。
【請求項５】
上記カッターは、少なくとも上記釣糸との当接面の全部又は一部がフッ素加工されている、
請求項１〜４のいずれかの項に記載の釣糸スプールの糸止め具。
【発明の詳細な説明】
【０００１】
【発明の属する技術分野】
本発明は、スプールに巻回された釣糸の解れを防止する釣糸スプール用糸止め具に関する。
【０００２】
【従来の技術】
通常釣り人は、ターゲットの魚の種類や仕掛けなどに応じて太さなどが異なる釣糸を使用している。そのため、釣り人は複数種類の釣糸を円筒形の巻芯の両側端にフランジを備えたスプールに巻回した釣糸を、上着のポケット等に複数本入れて持ち運び、適宜釣糸を交換したり、継ぎ足したりして使用している。そして、釣人は、ポケットより取り出したスプールから釣糸を繰り出し必要な長さでカットした後、釣糸端部をスプールのフランジに形成された切込みなどに保持させて、再度ポケット内に収納することを行うのが一般的であった。
【０００３】
しかし、スプールに巻いた釣糸をポケットなどに入れておくと、自然に釣糸が解けたり、スプールから外れてしまうことがある。
このような問題を解決するため、両端部分を連結可能とした帯状の解れ防止具を用いて、スプールの巻糸面全体を覆い、上記連結部にスリット孔を形成して、このスリット孔から釣糸を繰り出すようにした糸止め具が提案されている（例えば、先行特許文献１）。
また、スプールの巻糸面に着脱自在に装着可能な略Ｃ字状をした薄板バンド状の弾性プラスチック製の糸止め具を取付け、この糸止め具に設けたカッター台に釣糸を切断するためのカッターを取り付け、このカッターにより切断した釣糸の端部を保持する釣糸止め具も提案されている（例えば、特許文献２）。
【０００４】
【特許文献１】
実開昭５７−５２１７３号公報（第１〜２ページ、第４図）
【特許文献２】
特開２０００−１５７１３４号公報（第１〜４ページ、第１図）
【０００５】
【発明が解決しようとする課題】
しかしながら、上述のいずれの釣糸止め具も、糸止め部材の材質が樹脂であるため、釣糸との摩擦により静電気が発生し釣糸が作業をしている手や服などに纏わり付いたり、また樹脂製の糸止め具と釣糸とが摩擦を起こすことで釣糸をいためてしまうという問題があった。
【０００６】
また、上述のような釣糸止め具を使って釣糸を繰り出す場合、釣糸止め具に対してスプールが相対的に回転することになるが、従来の釣糸止め具では、スプールが回転したときにスプールの巻糸表面と、釣糸止め部の内周面がが擦れてしまい、釣糸を劣化させる原因になるという問題があった。この問題は、特に糸止め具同様、釣糸も樹脂系の材料でできている場合には、同じ樹脂同士が摩擦するため顕著であった。
【０００７】
また、従来の釣糸止め部材のカッター台にカッターを取り付け、このカッターにより切断した釣糸の端部を保持することが既に対案されているが、釣り人が次に釣糸を繰り出そうとした際に釣糸の端部が突出したカッター歯の内部に隠れてしまうため、この釣糸端部を取り出そうとしても上手く掴むことができず、釣糸の繰り出しが大変面倒で、使い勝手が悪いという問題があった。
このような問題は特に、釣りのように、船の上や川の中などの足場の悪いところや、夜などの手元が暗い場所で釣糸を繰り出したりする作業多いものについては、特に大きな問題となっていた。
【０００８】
本発明は、上述の従来の課題を解決するためになされたものであって、釣糸を傷めてしまうことを防止しながら、スプールに巻回されている釣糸を効率的、かつ、容易に繰り出して使用することができる釣糸スプール用糸止め具を提供することを主な課題とする。
【０００９】
【課題を解決するための手段】
上記課題を解決するため、本発明の一の観点にかかる釣糸用スプール糸止め具は、釣糸スプールの巻糸面の全面を覆うように着脱自在に装着されると共に、一部分に釣糸繰り出し孔が設けられた弾性を有する釣糸止め部と、上記釣糸止め部に対して取り付けられ、上記釣糸繰り出し孔から繰り出された釣糸を切断するカッターとから構成されており、上記糸止め部は、上記釣糸とは異なる材質により形成されていることを特徴とする。
【００１０】
また、上記釣糸は樹脂により形成されており、上記釣糸止め部は樹脂以外の材質により形成されていてもよい。
また、上記カッターは、上記釣糸繰り出し孔の近傍に配置されていてもよい。
【００１１】
また、上記カッターは、切断した釣糸の端部を保持した状態で、釣糸止め部に対して相対的に移動可能に取り付けられていてもよい。
また、上記カッターは、少なくとも上記釣糸との当接面の全部又は一部がフッ素加工されていてもよい。
【００１２】
【発明の実施の形態】
以下、図面を参照して、本発明にかかる一実施形態について説明する。
図１に発明にかかる釣糸止め具の一実施形態の斜視図を、図２に当該釣糸止め具をスプールの巻糸表面に装着した状態の分解斜視図を示す。図１及び図２において、本実施形態にかかる釣糸止め具１は、釣糸止め部２と、カッター３から構成されている。
釣糸止め部２は、両端部にフランジを有するスプール３の巻糸面の幅と略同じ幅を有するバンド状の部材から構成されており、このバンド状の部材の両端部分を繋ぎ合わせることにより、スプール３の巻糸面を覆う輪を形成している。
なお、本例では、釣糸止め部２の端部からずれた場所で繋ぎ合わされており、一端部が輪から突出した持手部２ａを構成するようになっている。
釣糸止め部２を構成する部材は、ゴムなどの弾性を有する部材を布などにより被覆した非透過性の材料、例えば、ゴム紐などにより構成することができる。
この釣糸止め部２が構成する輪は、図２に示すように釣糸スプール４の巻糸面の外周よりも小さな外周となっており、釣糸止め部２の弾性により釣糸スプール４の巻糸面に着脱自在に装着されるとともに、装着された際に巻糸面を押圧して釣糸の解れを防止するようになっている。また、釣糸止め部２は、スプール４に巻回された釣糸５の巻糸面の全面を覆うことにより、紫外線により劣化しやすいナイロンハリスなどを紫外線から保護することもできるようになっている。
【００１３】
なお、釣糸止め部２は、弾性を有する材質の部材であれゴムに限定されるものではないし、又これを被覆する材料としては布に限定されるものではなく、釣糸の材質と異なるものであればよい。
【００１４】
また、釣糸止め部２の端部結合には、釣糸繰り出し孔を構成するリング２１が取り付けられている。本例ではリング２１により一本のバンド状の釣糸止め部２の両端部が結合されている。
なお、このリング２１は、少なくともそれが釣糸と接触する面、例えば、リング２１の全体或いは内周面にテフロン（登録商標）加工などのフッ素加工を施すようにしてもよい。
【００１５】
図３は、図１や図２の例の糸止め具におけるカッター３の取付部分の拡大斜視図である。
カッター３は、ベースプレート３１とこれに一体に形成されたカッター刃３２から構成されている。
ベースプレート３１は、本実施形態では１枚の板状金属製材料を屈曲させて略コ字状に形成されており、この屈曲部で釣糸止め部２の一部を挟持することによりカッター３を釣糸止め部２に対して相対的に移動可能に取り付けることができるようになっている。
また、カッター刃３２は、釣糸５を切断するための刃であって、ベースプレート３１の上部から斜め上方向に突き出した略Ｕ字状をしている。このカッター刃３２は、ベースプレート３１の上面部分を切り込みを持ち上げたり打ち抜くなどして形成することができる。
なお、少なくとも、カッター３の釣糸５と当接する面、例えば、ベースプレート３１の屈曲部の下面側（巻糸表面と接する面）などにテフロン（登録商標）加工などのフッ素樹脂加工を施してもよいし、全体に加工を施してもよい。
【００１６】
次に、上述の釣糸止め具１の使い方について図面を参照して説明する。
まず、釣糸止め具１をスプール４に取り付ける場合、図３に示すように釣糸止め部２のリング２１の近傍にカッター３を取り付ける。
カッター３の取り付けは、ベースプレート３１の屈曲部により釣糸止め部２を挟持することにより行う。
【００１７】
この状態で、釣糸止め部２をその弾性に抗して拡げて、スプール４に巻回された釣り糸５の巻糸面の全面を覆うようにして装着する。釣糸止め具１が装着されることにより、その釣糸止め部３の外周が、スプール４の巻糸面の外周よりも小さいため、釣り糸止め部３の弾性により巻糸面を押圧して釣糸５が解けることを防止する。また、釣糸止め部３の弾性により、釣糸止め部３と巻糸面と間にベースプレート３１の下端部が挟まれて押し付けられ、これによりカッター３が動かないようにすることができる。
そして、釣糸５の端部をリング２１から引き出すことにより、リング２１から釣糸６を繰り出せるようにする。
【００１８】
次に、スプール４から所望の長さの釣糸５を繰り出して使用する場合には、まずリング２１から出ている釣糸５の端部を上方に向けて引っ張って、所望の長さの釣糸５を繰り出す。
この際、図４に示すように、釣糸５の端部が上方に引っ張られることにより、リング２１が釣糸５との摩擦により一瞬持ち上げられて、同時に釣糸止め部３及びリング２１の近傍に取り付けられているカッター３がスプール４の巻糸面から僅かに持ち上げられる。
そして、このカッター３等が持ち上げられた状態で、繰り出された釣糸５の長さに従ってスプール４が釣糸止め具１に対して相対的に回転する。
なお、釣糸５を繰り出す際、スプール４を固定し、持手部２ａをスプール４の巻糸方向上方に引っ張ることにより釣糸５を繰りだしてもよい。これによっても、持手部２ａが引っ張られることにより、同様にカッター３がスプール４の巻糸面から僅かに持ち上げられる。
【００１９】
所望の長さの釣糸５が繰り出されたところで、図５に示すように釣糸５をカッター３のカッター刃３２に引っ掛け、スプール４に対して横方向（スプール４の回転軸方向）に引っ張る。これにより、カッター刃３２がスプール４の回転軸に対して直行する方向よりもやや斜め上方向に向けて形成されているため、カッター刃３２の刃面が釣糸５に当たり、釣糸５が切断される。また、切断された釣糸５の端部が、カッター刃３２とベースプレート３１との間に保持される。
【００２０】
次回釣糸５を繰り出す場合には、カッター刃３２により釣糸５の端部を保持したままの状態で、カッター３をリング２１側に引っ張って移動させる。
これにより、カッター３とリング２１との間の距離が小さくなり、図６に示すようにカッター３とリング２１との間の釣糸５が上方に盛り上がる。この盛り上がった部分を釣り人がつまむことにより再度所望の長さの釣糸５を繰り出して使用することができる。
【００２１】
このように、本実施形態記載の釣糸止め具１によれば、釣糸止め部２が釣糸２とは異なる材質、特に樹脂製の釣糸２に対してこれを樹脂以外の材質により構成したことから、釣糸止め部２と釣糸５との摩擦により静電気が発生して、釣り人の手や服などに纏わり付いたり、釣糸５を痛めてしまうことを防止できる。また、スプール４が釣糸止め具１に対して相対的に回転する際に、巻回されている釣糸５の表面と釣糸止め部２の内周面が擦れても、樹脂同士が擦れ合う場合に比べて樹脂製の釣糸が劣化することを防止できる。
【００２２】
また、カッター３をリング２１の近傍に配置することにより、釣糸５がリング２１から上方に繰り出された際に、釣糸止め部２とともにカッター３が持ち上げられるようになる。これにより、カッター３が僅かに持ち上げられた状態でスプール４が回転するようになり、カッター３のベースプレート３１の下端面がスプール４の巻糸表面と摩擦することを防止でき、釣糸５を傷つけたり、破損したりすることを防止することができる。
【００２３】
また、カッター３は、切断した釣糸５の端部を保持した状態で、釣糸止め部２に対して相対的に移動可能に取り付けられることにより釣糸繰り出し孔とカッターとの間の距離を変えられるように構成したことから、カッター３のカッター刃３２に釣糸５の端部を保持した状態で移動させることにより、リング３との間の釣糸５が上方に盛り上がり、この盛り上がった部分を釣り人がつまむことにより再度所望の長さの釣糸５を効率的に繰り出して使用することが容易となる。
【００２４】
上述の実施形態は本発明の一例にすぎず、本発明の範囲内でその形状、材料、使用方法などの変更が可能である。
【００２５】
【発明の効果】
本発明によれば、釣糸を傷めてしまうことを防止しながら、スプールに巻回されている釣糸を効率的、かつ、容易に繰り出して使用することができる。
【図面の簡単な説明】
【図１】本発明にかかる釣糸スプール用糸止め具の一実施形態を示した斜視図。
【図２】本実施形態にかかる釣糸スプール用糸止め具をスプールに装着した状態を示した斜視図。
【図３】本実施形態にかかるカッターを取付る様子を示した斜視図。
【図４】本実施形態にかかる釣糸止め具により釣糸を繰り出す際の様子を示した側部断面図。
【図５】本実施形態にかかるカッターにより釣糸を切断する際の様子を示した側部断面図。
【図６】本実施形態にかかる釣糸止め具のカッターを移動させた様子を示した斜視図。
【符号の説明】
１      釣糸止め具
２      釣糸止め部
３      カッター
４      スプール
５      釣糸
２１    リング
【図１】
2004201517.tif 000003
【図２】
2004201517.tif 000004
【図３】
2004201517.tif 000005
【図４】
2004201517.tif 000006
【図５】
2004201517.tif 000007
【図６】
2004201517.tif 000008